(57)【特許請求の範囲】
【請求項１】
外ポールの端部に内ポールを伸縮可能に取り付ける伸縮機構において、外ポール及び内ポールは、断面形状を非円形状とし、内ポールは、外ポールの中で回動可能で端部に伸縮ロック体を設けて成り、伸縮ロック体は、内ポール端部に固定される軸体と、軸体に回動可能に取り付けられている圧着体とを有し、圧着体は、外形の形状が外ポールの内面で回動不能な形状で、一部を切り欠いた略リング状であって、一端部に、中心方向に突出する回止部を設けてあり、軸体は、この圧着体が回動可能に取り付けられる溝部を設け、その溝部には、回止部の中心方向の内面が摺接する摺接溝部を設け、摺接溝部は最浅部から最深部まで深さが徐々に変化しており、その両端に回受部を設けてあり、外ポールと内ポールは、圧着体の回止部が軸体の両端の回受部に当接する範囲内で回動可能に構成し、内ポールを外ポールに対して回動して伸縮ロック体の軸体を回動することによって、軸体の一方の回受部が回動しない圧着体の回止部に当接すると共に摺接溝部の最浅部に到達して圧着体が外ポール内面に圧着し、内ポールの断面形状と外ポールの断面形状の回転方向の位置関係がずれることなく常に一定の状態で、内ポールが外ポールに固定される構成にしたことを特徴とする伸縮機構。
【発明の詳細な説明】
【技術分野】
【０００１】
本発明は、断面形状が非円形の外ポールと内ポールが伸縮し、物干竿等に使用することができる伸縮機構に関するものである。
【背景技術】
【０００２】
従来より、断面形状が非円形の外ポールと内ポールを伸縮することができる伸縮機構として、実用新案登録第３０８７８５５号考案（従来例１）が提案されている。この考案は、外管２０（外ポールに相当）内を摺動する内桿５０（内ポールに相当）を固定したり移動可能にしたりできる非円形桿状物であって、断面形状が略長方形である外管２０の端部近傍の対辺を貫通する側孔２５・２５を有し、その側孔２５・２５周辺を内包するように設けられた滑筒３０が下リング２７に支えられたスプリング４０により端部方向へ付勢されており、側孔２５に嵌め込まれた押えユニット６０が滑筒３０の内壁面に傾斜をもって設けられた押え部３２で内側へ押し出されることによって、外管２０の内側を摺動可能に設けられた内桿５０を圧迫し固定される非円形桿状物である。
【０００３】
また、断面形状が円形の外ポールと内ポールを伸縮できる伸縮機構として、実公昭５５−３０４７５号考案（従来例２）が提案されている。この考案は、一般に流通している典型的で構造が簡単な伸縮機構であるが、断面円形の外管ｂ（外ポールに相当）と、外管ｂ内に挿入自在となされた同じく断面円形の内管ｂ’（内ポールに相当）と、内管ｂ’の端部に取着される継手ａとから成るものである。そして、継手ａは内管ｂ’の端部に取着される支持部１と支持部１に嵌合される輪状体２とから成り、支持部１は外壁に、円周方向に漸次深くなされた溝１１が設けられ、輪状体２は一端部に、内方に向かって突出部２１が設けられ、輪状体２の突出部２１が溝の浅い側に移動する如く、外管ｂと内管ｂ’を逆方向に回動させることにより、輪状体２が外管ｂ内壁と溝１１の底との間に喰い込まされ、継手ａと外管とが緊締され、内管ｂ’が外管ｂの任意箇所で固定されて成るものである。
【先行技術文献】
【特許文献】
【０００４】
【特許文献１】実用新案登録第３０８７８５５号公報
【特許文献２】実公昭５５−３０４７５号公報
【発明の概要】
【発明が解決しようとする課題】
【０００５】
上記従来例１においては、部品点数が多く構造も簡単ではなく、コストが高くなる上に故障しやすくなり、さらには、外管２０と内桿５０の外部に、滑筒３０や下リング２７が露出することになり、美観を損なうという問題がある。
【０００６】
また、上記従来例２においては、外管ｂと内管ｂ’を、緊締させる時と逆方向に回動させると、制限なく回動するので、その後に継手ａと外管ｂとを緊締する時には、外管ｂと内管ｂ’の外周方向の位置関係は一定にはならないものである。この従来例２においては、外管ｂと内管ｂ’が共に断面円形状なので、問題とはならないが、断面形状が非円形状例えば略四角形状の伸縮機構に適用できたとしても、外管ｂと内管ｂ’は、回転方向の位置関係が一定とならずに、固定する度にずれてしまうということになり、これも美観上の問題を有している。
【０００７】
本発明は、上記の問題点を解決するものであり、断面形状が非円形の外ポールと内ポールの伸縮機構において、外部に露出する部品が必要なく、両者の回転方向の位置関係がずれないで常に一定の状態で固定されるようになっている伸縮機構を提供することを課題としている。
【課題を解決するための手段】
【０００８】
本発明は、上記課題を解決するものであり、外ポールの端部に内ポールを伸縮可能に取り付ける伸縮機構において、外ポール及び内ポールは、断面形状を非円形状とし、内ポールは、外ポールの中で回動可能で端部に伸縮ロック体を設けて成り、伸縮ロック体は、内ポール端部に固定される軸体と、軸体に回動可能に取り付けられている圧着体とを有し、圧着体は、外形の形状が外ポールの内面で回動不能な形状で、一部を切り欠いた略リング状であって、一端部に、中心方向に突出する回止部を設けてあり、軸体は、この圧着体が回動可能に取り付けられる溝部を設け、その溝部には、回止部の中心方向の内面が摺接する摺接溝部を設け、摺接溝部は最浅部から最深部まで深さが徐々に変化しており、その両端に回受部を設けてあり、外ポールと内ポールは、圧着体の回止部が軸体の両端の回受部に当接する範囲内で回動可能に構成し、内ポールを外ポールに対して回動して伸縮ロック体の軸体を回動することによって、軸体の一方の回受部が回動しない圧着体の回止部に当接すると共に摺接溝部の最浅部に到達して圧着体が外ポール内面に圧着し、内ポールの断面形状と外ポールの断面形状の回転方向の位置関係がずれることなく常に一定の状態で、内ポールが外ポールに固定される構成にしたことを特徴とする伸縮機構である。
【発明の効果】
【０００９】
以上のように本発明によれば、外ポールと内ポールの外面に露出する部品を必要とせず簡単な構造で、内ポールの断面形状と外ポールの断面形状がずれることなく回転方向の位置関係が常に一定した状態に、内ポールが外ポールに固定されることになるので、低コストで製造することができ、かつ美観に優れているという効果がある。
【図面の簡単な説明】
【００１０】
【図１】物干竿の全長を最も短く調整した使用状態を示す斜視図。
【図２】図１のＡ−Ａ線断面図で、外ポールだけを断面にした要部拡大断面図（伸縮ロック体とストッパーが当接している状態）。
【図３】物干竿端部の拡大斜視図。
【図４】Ｂ−Ｂ線拡大端面図。
【図５】図１のＡ−Ａ線断面図で、伸縮ロック体及びストッパー部分の要部拡大断面図（わかりやすくするために、伸縮ロック体とストッパーを離した状態にしている。）。
【図６】ストッパーの分解斜視図。
【図７】締めた状態の伸縮ロック体及び外ポールと内ポールの拡大斜視図。
【図８】図７の伸縮ロック体の分解斜視図。
【図９】緩めた状態の伸縮ロック体及び内ポールの拡大斜視図。
【図１０】図９の伸縮ロック体の分解斜視図。
【図１１】Ｃ−Ｃ線拡大端面図（外ポールを含む）。
【図１２】Ｄ−Ｄ線拡大端面図（外ポールを含む）。
【図１３】Ｅ−Ｅ線拡大端面図（外ポールを含む）。
【図１４】伸縮ロック体を緩めた状態の図１１に対応する拡大端面図。
【図１５】伸縮ロック体を緩めた状態の図１２に対応する拡大端面図。
【図１６】伸縮ロック体を緩めた状態の図１３に対応する拡大端面図。
【図１７】Ｃ−Ｃ線拡大断面斜視図。
【図１８】Ｄ−Ｄ線拡大断面斜視図。
【実施例１】
【００１１】
本実施例の伸縮機構においては、外ポール2、内ポール３・３及び伸縮ロック体８・８から構成されており、物干竿１の両端に適用している。
【００１２】
物干竿１は、外ポール２の両端に、外ポール２より小さい断面形状の内ポール３・３を伸縮・調整可能に設けて成り、外ポール２の中央内部にはストッパー５を固定し、内ポール３・３のそれぞれ外方端部には、内ポール３・３より大きく外ポール２とほぼ同じ形と大きさの断面形状を持つキャップ４・４を取り付けてある。
【００１３】
外ポール２と内ポール３・３の断面形状は、四辺を大きな円弧状とした略四角形状であり、物干竿１に引っ掛けるハンガー（図示せず）は、ハンガー上端の円弧状のフック部分が外ポール２又は内ポール３・３の角の２点で接触・支持されて、物干竿１に対して直角な状態で安定し、その状態から回転しにくいようになっており、洗濯物を掛けた複数のハンガーを間隔をおいて引っ掛けて干した場合に、洗濯物間に風が通りやすく早く乾くという効果がある。また、キャップ４・４は、柔らかいシリコーン製で、物干竿１が万が一落下して人に当たっても怪我しにくいように配慮されている。
【００１４】
内ポール３・３は、それぞれの内方端部に伸縮ロック体８・８が取り付けられており、外ポール２に対してそれぞれ伸縮調整して複数の任意の位置で固定可能であり、物干竿１の全長を最も短く調整して内ポール３・３を固定した場合に、伸縮ロック体８・８がそれぞれストッパー５の両側に当接して、外ポール２の端部とキャップ４・４との間に隙間ができて、外ポール２及びキャップ４・４より一段低い段差となる係合凹部２８・２８が形成される。
【００１５】
ストッパー５は、一対の圧接体６・６を拡張体７で拡張して、外ポール２の内部に摩擦力で突っ張り固定できるものである。
【００１６】
一対の圧接体６・６を合わせると、外形断面が外ポール２の内形断面と相似しやや小さい略四角形状で、内形断面が円形で雌ねじ部１２・１２を一方端部側から螺刻してあり、圧接体６・６の両方とも、それぞれ中央長手方向に、一方端部の一部を残して他方端部側から伸びる切欠部１３・１３を設けてある。一方の圧接体６には、一方端部の両側に凸部１４・１４を設け、他方の圧接体６には、凸部１４・１４に対応する位置に凹部１５・１５を設けてあり、両圧接体６・６を合わせた時に、凸部１４・１４と凹部１５・１５が係合してずれ止めされる。
【００１７】
拡張体７は、外周に、圧接体６・６の雌ねじ部１２・１２に螺合する雄ねじ部１６を螺刻し、一端部内面に六角形孔の操作部１７を設けてある。
【００１８】
凸部１４・１４と凹部１５・１５を係合させて一対の圧接体６・６を合わせて外ポール２の中央まで挿入し、合わさった圧接体６・６の一方端部側から、拡張体７を挿入し操作部１７を操作して、拡張体７の雄ねじ部１６を圧接体６・６の雌ねじ部１２・１２に螺合していくと、圧接体６・６が離反しさらに切欠部１３・１３から押し広げられて外方に拡張し、外ポール２の内面に圧着されて両者の摩擦力で固定される。なお、圧接体６・６の外面に両面粘着テープ（図示せず）を貼っておくと、より強固に固定することができる。
【００１９】
伸縮ロック体８は、内ポール３の端部に取り付けられる軸体９と、軸体９に嵌められる２つの圧着体１０・圧着体１１から構成されている。
【００２０】
軸体９は、長手方向に間隔をおいて円弧状の２条の溝部１８及び溝部２２を設け、内方側の溝部１８の両端を結ぶように幅広で溝部１８の底部よりさらに深い摺接溝部１９を設け、外方側の溝部２２の両端を結ぶように幅広で溝部２２の底部よりさらに深い摺接溝部２３を設けてある。
【００２１】
摺接溝部１９は、外方から見て左回りに徐々に浅くなるようになっており、最深部側の一端部に、回受部２０を立ち上げて設けると共に、最浅部側の他端部に回受部２１を立ち上げて設けた形となっており、摺接溝部２３は、外方から見て左回りに徐々に浅くなるようになっており、最深部側の一端部に、回受部２４を立ち上げて設けると共に、最浅部側の他端部に回受部２５を立ち上げて設けた形となっている。摺接溝部１９と摺接溝部２３は、１８０度位置をずらして設けてある。
【００２２】
圧着体１０・圧着体１１は、外ポール２の内面形状と相似しやや小さい形状で、一部を切り欠いたリング状であって、一端部に、一方側の側方に突出すると共に中心方向に突出する回止部２６・回止部２７を設けてある。
【００２３】
一方の圧着体１０は、回止部２６が軸体９の摺接溝部１９に位置するように、内方側の溝部１８側に嵌めて、他方の圧着体１１は、回止部２７が軸体９の摺接溝部２３に位置するように、外方側の溝部２２側に嵌めて、使用されるものである。この時、圧着体１０の回止部２６は、圧着体１１側に突出し、圧着体１１の回止部２７は、圧着体１０側に突出するように構成され、回止部２６と回止部２７の突出している部分が、長手方向の同じ位置で相対向するようになっており（図１３及び図１６参照）、回止部２６は、摺接溝部１９を回受部２０から回受部２１の範囲内で回動し、回止部２７は、摺接溝部２３を回受部２４から回受部２５の範囲内で回動することができるようになっている。
【００２４】
物干竿１は、ストッパー５を外ポール２中央に固定した後、伸縮ロック体８・８が取り付けられた内ポール３・３を、外ポール２の両端から挿入し、抜止具２９・２９で抜け止めして組み立てられる。断面形状が略四角形の圧着体１０・圧着体１１は、同じく断面形状が略四角形の外ポール２の中では、回動ができない状態となっており、内ポール３は外ポール２に対して自由に回転できるものではなく、後段で詳述するように、回動範囲が９０度に制限されている。
【００２５】
内ポール３を右方向に回動させて締めると、圧着体１０・圧着体１１の回止部２６・回止部２７は、摺接溝部１９・摺接溝部２３の最浅部に立設した回受部２１・回受部２５に当接し、圧着体１０・圧着体１１が拡張しその外面が外ポール２の内面に圧着されて摩擦で固定される（図１１〜図１３参照）。この時、内ポール３の断面形状は外ポール２の断面形状と４辺の回転方向の位置関係がずれることなく常に一定で合致している状態となる（図３及び図４参照）。なお本実施例では、物干竿１に適用し、外ポール２と内ポール３の断面形状は４辺の回転方向の位置関係が合致している状態になっているが、例えば、物干竿１以外のものに適用し、外ポール２に対して内ポール３を９０度変位させた状態に常に固定できるようにしてもよく、要するに、外ポール２に対して内ポール３を、回転方向の位置関係がずれることなく常に一定の状態に固定できるようになっていればよい。また、本実施例では圧着体１０・圧着体１１の２つを使用しており、固定する力が強く安定性を高めているが、１つだけでも固定することはできるものであり、２つに限定されるものでない。
【００２６】
従って、外ポール２及び両端部の内ポール３・３の全ての断面形状が、４辺の回転方向の位置関係がずれることなく常に一定で合致することになり、外観が良好な上に、物干竿１の両端の内ポール３・３を、角の２点が接触するように物干竿支持具Ｓ・Ｓの支持リングＲ・Ｒで支持することができ、物干竿１は安定して支持され、なおかつ、ハンガー上端の円弧状のフック部分が外ポール２角の２点で接触・支持されて安定し、回転しにくいようにすることが可能となる。
【００２７】
内ポール３を左方向に回動させて緩めると、圧着体１０・圧着体１１の回止部２６・回止部２７は、摺接溝部１９・摺接溝部２３の最深部に立設した回受部２０・回受部２４に当接し、圧着体１０・圧着体１１の外面は外ポール２の内面に対し隙間ができて、内ポール３は外ポール２に対して伸縮方向に移動が可能な状態になり、長さを調整することができるようになる（図１４〜図１６参照）。この時も、内ポール３は上記の固定状態から９０度回動しており、内ポール３の断面形状は外ポール２の断面形状と４辺の回転方向の位置関係が合致している。なお前記のように本実施例では、外ポール２と内ポール３の回動可能な角度は９０度であるが、この角度に限定されるものではない。
【００２８】
内ポール３・３を最も短く調整して固定した場合でも、伸縮ロック体８・８がストッパー５の両側に当接して、物干竿１の両端に係合凹部２８・２８が形成されることになるため、その係合凹部２８・２８を物干竿支持具Ｓ・Ｓの支持リングＲ・Ｒで支持することができ、物干竿１は容易に外れることがなく落下する危険を回避することができる。また、物干竿１が万が一落下して人に当たっても柔らかいシリコーン製のキャップ４・４で、怪我するリスクをさらに低減している。
【符号の説明】
【００２９】
２    外ポール
３    内ポール
８    伸縮ロック体
９    軸体
１０    圧着体
１１    圧着体
１８    溝部
１９    摺接溝部
２０    回受部
２１    回受部
２２    溝部
２３    摺接溝部
２６    回止部
２７    回止部
【図１】
0006554010.tif 000002
【図２】
0006554010.tif 000003
【図３】
0006554010.tif 000004
【図４】
0006554010.tif 000005
【図５】
0006554010.tif 000006
【図６】
0006554010.tif 000007
【図７】
0006554010.tif 000008
【図８】
0006554010.tif 000009
【図９】
0006554010.tif 000010
【図１０】
0006554010.tif 000011
【図１１】
0006554010.tif 000012
【図１２】
0006554010.tif 000013
【図１３】
0006554010.tif 000014
【図１４】
0006554010.tif 000015
【図１５】
0006554010.tif 000016
【図１６】
0006554010.tif 000017
【図１７】
0006554010.tif 000018
【図１８】
0006554010.tif 000019